(57)【特許請求の範囲】
【請求項１】
外側面に対して、ステップを張り出し位置から折畳み位置まで回動支軸によって回動可能に取付けたステップを備えた建設機械であって、
上記外側面に設けられたレバー支持板と、上記ステップを支持するステップ支持部材と、の間を連結する連結レバーを備え、
上記連結レバーは、レバー回動支持ピンを介して上記レバー支持板に回動可能に支持され、かつ、案内ピンを介して上記ステップ支持部材に回動可能に連結され、
上記連結レバーには、
上記ステップの回動に合せて上記ステップ支持部材に設けられた上記案内ピンを案内する案内孔と、
上記案内孔に対して連続的に形成され、上記案内ピンが嵌入することで上記ステップを上記折畳み位置で固定する固定孔と、が少なくとも形成されており、
上記張り出し位置において上記案内孔は上記レバー回動支持ピンよりも下方に位置しており、当該案内孔の下端に上記案内ピンが係合することによって上記ステップが上記張り出し位置に固定され、
上記ステップは、上記張り出し位置から、上記回動支軸を中心にして上方へ回動することにより、上記折畳み位置まで移動することを特徴とするステップを備えた建設機械。
【請求項２】
上記固定孔は、上記案内孔が延在する位置に対して、上記外側面からの距離が大きくなる方向に折れ曲がって形成されていることを特徴とする請求項１に記載のステップを備えた建設機械。
【請求項３】
上記外側面に沿って配置された上記ステップの長手方向の中央付近に上記ステップ支持部材が設けられていることを特徴とする請求項１または２に記載のステップを備えた建設機械。
【発明の詳細な説明】
【技術分野】
【０００１】
本発明は、建設機械の外側面に対して、ステップを回動可能に取付けたステップを備えた建設機械に関する。
【背景技術】
【０００２】
大型ショベル、大型クレーンおよびフローティングショベル等の建設機械においては、運転室の位置が高い、足場が悪い等の理由により、日常の点検・修理作業実施のため、運転室側および反対側において、上部旋回体の外側面に対してキャットウオーク（またはステップ、以下、簡単のためステップという）が取付けられている。
【０００３】
また、上部旋回体の外側面に対してステップを取り付けた状態では、車体が輸送限界幅を超えるため、輸送時にはステップを折畳み、車体の輸送限界幅を確保している。
【０００４】
このようなステップの取付構造に関する従来技術では、一般的には、ステップの固定方法は、図３の（ａ）に示す例のように、ステップと固定板とをボルトで固定する方法が採用されている。
【０００５】
また、ステップの取付構造に関する従来技術の別の例としては、例えば、図３の（ｂ）に示す例のように、ステップ側に小判型形状の長孔を設け、折畳み位置でステップを下方に沈み込ませ固定する方法もある。
【０００６】
また、ステップの取付構造に関する従来技術のさらに別の例として特許文献１に開示された回動体（以下、ステップを例示して説明する）の取付装置がある。この回動体の取付装置では、折畳み位置でステップの下端部がストッパ部材によるストッパ機能により取付けフレームに固定され、ステップの中間部が、取り外し可能な固定ピンによる本固定機能により取付けフレームに固定されている。
【先行技術文献】
【特許文献】
【０００７】
【特許文献１】特開２０１４−７０４１３号公報（２０１４年４月２１日公開）
【発明の概要】
【発明が解決しようとする課題】
【０００８】
しかしながら、上述のような従来技術には、以下のような問題点がある。
【０００９】
例えば、上述したステップと固定板とをボルトで固定する方法では、ボルトを固定するための作業者以外にボルトの差込穴位置にステップを保持する作業者が必要である。また、ボルトを差し込むための穴合わせ時には、作業者の頭がステップの下位置になり危険である。さらに、ボルトを紛失してしまうとステップを折畳み位置で固定することが困難になってしまう。
【００１０】
次に、上述したステップ側に小判型形状の長孔を設け、折畳み位置でステップを下方に沈み込ませ固定する方法では、ステップを作業姿勢にするには、ステップの全重量を持ち上げる必要があり、重量によっては作業者が複数人必要になる。
【００１１】
さらに、上記特許文献１に開示された回動体の取付装置では、ステップの中間部を取付けフレームに固定する固定ピンを紛失してしまうとステップを折畳み位置で固定することが困難になってしまう。
【００１２】
本発明は、以上の問題点に鑑みて為されたものであり、その目的は、ボルトやピンなどの部品の紛失を防止し、かつ作業者１名でステップを安全かつ簡単に折畳み位置で固定することができるステップを備えた建設機械を提供することにある。
【課題を解決するための手段】
【００１３】
上記の課題を解決するために、本発明の態様１に係るステップを備えた建設機械は、外側面に対して、ステップを張り出し位置から折畳み位置まで回動可能に取付けたステップを備えた建設機械であって、上記外側面に設けられたレバー支持板と、上記ステップを支持するステップ支持部材と、の間を連結する連結レバーを備え、上記連結レバーには、
上記ステップの回動に合せて上記ステップ支持部材に設けられた案内ピンを案内する案内孔と、上記案内孔に対して連続的に形成され、上記案内ピンが嵌入することで上記ステップを上記折畳み位置で固定する固定孔と、が少なくとも形成されていることを特徴としている。
【００１４】
上記構成によれば、連結レバーに形成された案内孔は、ステップの回動に合せてステップ支持部材に設けられた案内ピンを案内する。このため、作業者１名で安全かつ簡単にステップを張り出し位置から折畳み位置まで回動させることができる。また、上記構成によれば、案内孔に対して連続的に形成された固定孔に案内ピンを嵌入させることで、ステップの自重による折畳み位置から張り出し位置へ向けた回動が阻止される。このため、作業者１名で安全かつ簡単にステップを折畳み位置で固定することができる。また、上記構成によれば、ステップを折畳み位置で固定するための別のボルトやピンなどの部品を装着する必要がないため、ボルトやピンなどの部品が紛失することもない。以上により、本発明の一態様に係るステップを備えた建設機械によれば、ボルトやピンなどの部品の紛失を防止し、かつ作業者１名でステップを安全かつ簡単に折畳み位置で固定することができる。
【００１５】
また、本発明の態様２に係るステップを備えた建設機械は、上記態様１において、上記固定孔が、上記案内孔が延在する位置に対して、上記外側面からの距離が大きくなる方向に折れ曲がって形成されていることが好ましい。上記構成によれば、ステップをより折畳み位置へ向かう方向へ回動させただけで、連結レバーが自重によって鉛直下向きに回動しようとする力により、案内ピンが固定孔に自然と嵌入する状態になる。これにより、ステップの折畳み位置での固定を容易に行うことができる。
【００１６】
また、本発明の態様３に係るステップを備えた建設機械は、上記態様１または２において、上記外側面に沿って配置された上記ステップの長手方向の中央付近に上記ステップ支持部材が設けられていることが好ましい。上記構成によれば、連結レバーを介してレバー支持板と連結されたステップ支持部材が、ステップの長手方向の端部付近に設けられている構成と比較して、ステップを回動させやすくなるため、作業者１名で安全かつ簡単にステップを折畳み位置まで回動させたり、折畳み位置で固定したりすることができる。
【発明の効果】
【００１７】
本発明の一態様によれば、ボルトやピンなどの部品の紛失を防止し、かつ作業者１名でステップを安全かつ簡単に折畳み位置で固定することができるという効果を奏する。
【図面の簡単な説明】
【００１８】
【図１】（ａ）は、本発明の実施形態１に係るサイドステップの構造を示す断面図（張り出し姿勢）であり、（ｂ）は、上記サイドステップの構造を示す上面図であり、（ｃ）は、上記サイドステップを構成する連結レバーの構造を示す断面図であり、（ｄ）は、上記サイドステップの構造を示す断面図（中間姿勢）であり、（ｅ）は、上記サイドステップの構造を示す断面図（折畳み姿勢）であり、（ｆ）は、本発明の実施形態２に係る変形例の連結レバーの構造を示す断面図である。
【図２】（ａ）は、建設機械の外観の構造を示す側面図であり、（ｂ）は、上記建設機械の外観の構造を示す上面図であり、（ｃ）は、取付フレームに対するステップ支持部材の取付け構造を示す上面図であり、（ｄ）は、上記サイドステップの構造を示す上面図であり、（ｅ）は、（ａ）に示すＡ−Ａ断面の断面図であり、（ｆ）は、（ａ）に示すＢ−Ｂ断面の断面図である。
【図３】（ａ）は、従来のステップと固定板とをボルトで固定する方法を示す図であり、（ｂ）は、従来のステップ側に小判型形状の長孔を設け、折畳み位置でステップを下方に沈み込ませ固定する方法を示す図である。
【発明を実施するための形態】
【００１９】
本発明の実施の形態について図１および２に基づいて説明すれば、次の通りである。以下、説明の便宜上、特定の実施形態にて説明した構成と同一の機能を有する構成については、同一の符号を付記し、その説明を省略する場合がある。
【００２０】
〔実施形態１〕
図１の（ａ）は、本発明の実施形態１に係るサイドステップ１０の構造を示す断面図である。同図は、ステップ１が、張り出し位置、すなわち、張り出し姿勢の状態にあるときのサイドステップ１０の状態を示す。次に、図１の（ｂ）は、サイドステップ１０の構造を示す上面図である。また、図１の（ｃ）は、サイドステップ１０を構成する連結レバー２の構造を示す断面図である。
【００２１】
図１の（ａ）および図１の（ｂ）に示すように、本実施形態のサイドステップ１０は、ステップ１、連結レバー２、保持部３、案内ピン４、レバー回動支持ピン５、回動支軸６、およびレバー支持板７を備える。
【００２２】
ステップ１は、踏み板を備え、この踏み板がステップ支持部材１ａによって支持されている。また、ステップ支持部材１ａに形成された孔と、保持部３の回動支持板３ｂに形成された孔には、回動支軸６が嵌挿され、ステップ１は、ステップ支持部材１ａを介して、回動支持板３ｂによって張り出し位置から折畳み位置まで回動可能に支持されている。保持部３は、この回動支持板３ｂと取付フレーム３ａとを備えている。回動支持板３ｂは、保持部３の取付フレーム３ａに固定され、取付フレーム３ａは、後述する建設機械２０の上部旋回体の外側面２１に固定されている。
【００２３】
連結レバー２は、上部旋回体の外側面２１の上方に設けられたレバー支持板７と、ステップ１を支持するステップ支持部材１ａと、の間を連結するレバーである。連結レバー２の上端に形成された孔と、レバー支持板７に形成された孔には、レバー回動支持ピン５が嵌挿され、連結レバー２は、レバー回動支持ピン５を介してレバー支持板７に回動可能に支持されている。
【００２４】
次に、図１の（ｃ）に示すように、連結レバー２には、Ｌ字状の案内孔２ｈが形成され、この案内孔２ｈには、ステップ支持部材１ａに設けられた案内ピン４が嵌挿されている。また、連結レバー２には、ステップ１の回動に合せてステップ支持部材１ａに設けられた案内ピン４を案内する第１孔２ａ（案内孔）が形成されている。また、同図に示すように、連結レバー２には、第１孔２ａに対して連続的に形成され、図１の（ｅ）に示すように案内ピン４が嵌入することでステップ１を折畳み位置で固定する第２孔２ｂ（固定孔）が形成されている。
【００２５】
図１の（ｄ）は、張り出し位置と折畳み位置との間の中間姿勢の状態にあるときのサイドステップ１０の側面を示す。このとき、案内ピン４は、案内孔２ｈのＬ字の折れ曲がり位置付近に位置している。次に、図１の（ｅ）は、ステップ１が折畳み位置、すなわち、折畳み姿勢にあるときのサイドステップ１０の側面を示す。このとき、案内ピン４は、案内孔２ｈの第２孔２ｂに嵌入している。
【００２６】
上記構成によれば、連結レバー２に形成された第１孔２ａは、ステップ１の回動に合せてステップ支持部材１ａに設けられた案内ピン４を案内する。このため、作業者１名で安全かつ簡単にステップ１を張り出し位置から折畳み位置まで回動させることができる。また、上記構成によれば、第１孔２ａに対して連続的に形成された第２孔２ｂに案内ピン４が嵌入することで、ステップ１の自重による折畳み位置から張り出し位置へ向けた回動が阻止される。このため、作業者１名で安全かつ簡単にステップ１を折畳み位置で固定することができる。また、第２孔２ｂは、第１孔２ａが延在する位置に対して、上部旋回体の外側面２１からの距離が大きくなる方向に折れ曲がって形成されているため、図１の（ｄ）の状態から、ステップ１をより折畳み位置へ向かう方向へ回動させただけで、連結レバー２が自重によって鉛直下向きに回動しようとする力により、案内ピン４が第２孔２ｂに自然と嵌入する状態になる。これにより、ステップ１の折畳み位置での固定を容易に行うことができる。また、上記構成によれば、ステップ１を折畳み位置で固定するための別のボルトやピンなどの部品を装着する必要がないため、ボルトやピンなどの部品が紛失することもない。以上により、サイドステップ１０によれば、ボルトやピンなどの部品の紛失を防止し、かつ作業者１名でステップを安全かつ簡単に折畳み位置で固定することができる。
【００２７】
〔実施形態２〕
次に、図１の（ｆ）は、本発明の実施形態２に係る変形例の連結レバー２の構造を示す図である。図１の（ｃ）に示す連結レバー２と、図１の（ｆ）に示す連結レバー２とは、案内孔２ｈと、案内孔２ｈ’の構造が異なる点で相違している。
【００２８】
本実施形態の案内孔２ｈ’は、第１孔２ａ（案内孔）、第２孔２ｂ、および第３孔２ｃ（固定孔）で構成されている。また、第２孔２ｂは、第１孔２ａに対して連続的に形成された孔となっており、第３孔２ｃは、第２孔２ｂに対して連続的に形成された孔となっている。第１孔２ａおよび第２孔２ｂはＬ字状に折れ曲がって形成されており、さらに第２孔２ｂおよび第３孔２ｃもＬ字状に折れ曲がって形成されている。
【００２９】
第３孔２ｃに案内ピン４が嵌入した場合、サイドステップ１０に対して上下方向の振動が働いたとしても、案内ピン４が、第３孔２ｃから外れにくくなるため、ステップ１の折畳み位置における固定強度を高めることができる。
【００３０】
〔サイドステップの建設機械における取付け位置について〕
次に、図２に基づき、上述したサイドステップ１０の建設機械における取付け位置について説明する。図２の（ａ）は、建設機械２０の外観の構造を示す側面図である。また、図２の（ｂ）は、建設機械２０の外観の構造を示す上面図である。建設機械２０は、上述した実施形態１に係るサイドステップ１０または実施形態２に係る連結レバー２を備えたサイドステップのいずれかを備えている。図２の（ａ）に示すように、上述したサイドステップ１０は、建設機械２０の上部旋回体の外側面２１に取付けられる。これにより、ボルトやピンなどの部品の紛失を防止し、かつ作業者１名でステップを安全かつ簡単に折畳み位置で固定することができる建設機械２０を実現することができる。
【００３１】
次に、図２の（ｂ）に示すように、ステップ１の長手方向の両端には、それぞれ、保持部８が配置され、ステップ１の長手方向の中央付近には、上述した保持部３および連結レバー２が配置されている。すなわち、上部旋回体の外側面２１に沿って配置されたステップ１の長手方向の中央付近に、連結レバー２を介してレバー支持板７と連結されたステップ支持部材１ａが設けられていることが好ましい。上記構成によれば、連結レバー２を介してレバー支持板７と連結されたステップ支持部材１ａが、ステップ１の長手方向の端部付近に設けられている構成と比較して、ステップ１を回動させやすくなるため、作業者１名で安全かつ簡単にステップを折畳み位置まで回動させたり、折畳み位置で固定したりすることができる。
【００３２】
次に、図２の（ｃ）は、取付フレーム８ａに対するステップ支持部材１ａの取付け構造を示す上面図である。同図に示すように保持部８は、取付フレーム８ａ、回動支持板８ｂ、ストッパ８ｃを備える。図２の（ｄ）は、上述したサイドステップ１０の構造を示す上面図である。また、図２の（ｅ）は、図２の（ａ）に示すＡ−Ａ断面の断面図であり、図２の（ｆ）は、図２の（ａ）に示すＢ−Ｂ断面の断面図である。
【００３３】
図２の（ｃ）および図２の（ｅ）に示す構成では、連結レバー２およびレバー支持板７などが設けられていない。これらの図に示すように、ステップ１は、踏み板を備え、この踏み板は、ステップ支持部材１ａによって支持されている。また、ステップ支持部材１ａに形成された孔と、保持部８の回動支持板８ｂに形成された孔には、回動支軸６が嵌挿され、ステップ１は、ステップ支持部材１ａを介して、回動支持板８ｂによって張り出し位置から折畳み位置まで回動可能に支持されている。回動支持板８ｂは、保持部８の取付フレーム８ａに固定され、取付フレーム８ａは、後述する建設機械２０の上部旋回体の外側面２１に固定されている。また、図２の（ｅ）に示すように、回動支持板８ｂには、ストッパ８ｃが設けられており、ステップ１は、ストッパ８ｃにより張り出し位置で固定される。
【００３４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００３５】
本発明は、外側面に対して、ステップを回動可能に取付けたステップを備えた建設機械などに利用することができる。
【符号の説明】
【００３６】
１    ステップ
１ａ  ステップ支持部材
２    連結レバー
２ａ  第１孔（案内孔）
２ｂ  第２孔（固定孔）
２ｃ  第３孔（固定孔）
４    案内ピン
７    レバー支持板
２０  建設機械
２１  上部旋回体の外側面
【図１】
0006413567.tif 000002
【図２】
0006413567.tif 000003
【図３】
0006413567.tif 000004